(57)【要約】      （修正有）【課題】流量制御弁の弁構造を簡易化して、製造上の省力化を達成するとともに、使用時の盗難防止が図られる節水弁を提供する。【解決手段】節水弁Ａは、水栓の口端に接合される接合金具１の通水室に制水駒が内蔵され、制水駒は蝶羽根を設けた制水盤と、中心に点対称状で所要数の通水孔が開口された通水盤とが流量調節自在に重畳接合され、接合金具１の下端に泡沫発生体５が螺設され、制水駒の通水盤が通水室の段差部に圧入内嵌され、泡沫発生体５がその上端に、接合金具１の周部下端とで所要の間隙６を設けた節水弁Ａや、間隙６に円筒状の筒本体８aの内周に周設した座盤８bを遊嵌して接合金具１と泡沫発生体５とから成る節水弁Ａを盗難防止筒８に収納した盗難防止用節水弁Ｂ。【選択図】図２
2011174234.tif 000002
【特許請求の範囲】
【請求項１】
上端が水栓の口端に接合される接合金具に形成された通水室に制水駒が内蔵され、該制水駒が、その中心を通る直径上に対称に蝶羽根を設けて成る制水盤と、該制水盤に重畳されて前記蝶羽根間に露出される盤面内でその中心に点対称状に所要形状で所要数の通水孔を開口して成る通水盤とが、その中心で流量調節自在に螺合されて成り、前記接合金具の下端に泡沫発生体が螺設されて成る節水弁おいて、
前記制水駒の通水盤が通水室の上部に圧入内嵌されて成る節水弁。
【請求項２】
前記泡沫発生体が、その上端に接合金具の周部とで所要の間隙を形成して螺合されるとともに、その下端に回動手段が配設されて成る請求項１記載の節水弁。
【請求項３】
請求項２記載の節水弁と、円筒状の筒本体の丈方向所要位置の内周に所要厚の座盤を周設して成る盗難防止筒とから成り、前記節水弁の間隙に前記座盤を遊嵌して該盗難防止筒に節水弁を収蔵して成る盗難防止用節水弁。
【発明の詳細な説明】
【技術分野】
【０００１】
本発明は、水栓の口端に接合されて吐水量を調節する流量制御弁の分野に属する。
【背景技術】
【０００２】
本願出願人は、水道水の流量制御技術に関する先行技術として特許第４１００６９３号（特許文献１）に流量制御弁を提案しているが、該流量制御弁では流量制御を図る制水駒がブッシュに内嵌され、該ブッシュを内設する接合金具を、その上端において水栓の口端に接合するものであり、ブッシュと接合金具との機能分析に基づき、その構造を簡易化して製造上の省力化を図るに至ったものである。
さらに、水栓の口端に接合された状態では、接合金具の脱却の点で無防備であり、盗難の危険にさらされている状況である。
【先行技術文献】
【特許文献】
【０００３】
【特許文献１】特許第４１００６９３号
【発明の概要】
【発明が解決しようとする課題】
【０００４】
本発明は、特許第４１００６９３号の流量制御弁の弁構造を簡易化して製造上の省力化を達成するとともに、使用時の盗難防止が図られる節水弁を提供する。
【課題を解決するための手段】
【０００５】
本発明の請求項１に記載した節水弁は、上端が水栓の口端に接合される接合金具に形成された通水室に制水駒が内蔵され、該制水駒が、その中心を通る直径上に対称に蝶羽根を設けて成る制水盤と、該制水盤に重畳されて前記蝶羽根間に露出される盤面内でその中心に点対称状に所要形状で所要数の通水孔を開口して成る通水盤とが、その中心で流量調節自在に螺合されて成り、前記接合金具の下端に泡沫発生体が螺設されて成る節水弁において、
前記制水駒の通水盤が通水室の上部に圧入内嵌されて成る。
本発明の請求項２に記載した発明は、請求項１に記載した節水弁において、
前記泡沫発生体が、その上端に接合金具の周部とで所要の間隙を形成して螺合されるとともに、その下端に回動手段が配設されて成る。
請求項３に記載した盗難防止用節水弁は、請求項２に記載した節水弁と、円筒状の筒本体の丈方向所要位置の内周に所要厚の座盤を周設して成る盗難防止筒とから成り、前記節水弁の間隙に前記座盤を遊嵌して該盗難防止筒に節水弁を収蔵して成る。
【発明の効果】
【０００６】
以上のように本発明の節水弁によれば、制水駒を内蔵するブッシュが接合金具となって直接水栓の口端に接合されるから、従来のブッシュが省かれて製造コストの大幅な削減が達成されるものであり、その上制水駒の通水盤が通水室に単に内嵌されるのではなく、圧入内嵌されるものであるから、接合金具の組立完了時の移動で制水駒が通水室から脱落することがなく、保守管理がし易くなり、盗難防止用節水弁では盗難防止筒が空転するのみで、接合金具を水栓の口端から脱却できないので、節水弁の盗難防止が図られる。
【図面の簡単な説明】
【０００７】
【図１】本発明の節水弁Ａの説明図で、（ａ）はその分解状態の斜視図、（ｂ）は（ａ）の接合金具１のＡ−Ａ矢視断面図。
【図２】本発明の盗難防止用節水弁Ｂの説明図で、（ａ）はその盗難防止筒８を縦断した状態の正面図、（ｂ）は（ａ）の底面図、（ｃ）は盗難防止用節水弁Ｂの組み立てに用いる鍵９の要部を破断した説明図。
【図３】本発明の盗難防止用節水弁Ｂの使用状態の説明図。
【発明を実施するための形態】
【０００８】
本発明の節水弁における接合金具や盗難防止用節水弁における盗難防止筒は、金属製は勿論のこと、PC材による射出成形品としても提供され、接合金具をPC材による射出成形品とする場合には、通水盤をも一体として成形するも良しとされ、さらに、制水駒の制水盤や通水盤も金属打抜き成形のほか、PC材による射出成形品としても提供され得る。
なお、水栓の口端に接合された接合金具への泡沫発生体の接合時には、泡沫発生体の底面に設けられる凹溝は手探り状態で確認されるものであるから、盗難防止筒の外周に外嵌する円筒部を鍵に設けた方が、鍵に設けた突起を前記凹溝に嵌入し易く接合操作が楽になる。
【実施例】
【０００９】
本発明の節水弁Ａを一実施例により説明すると、図１に示すように、円筒状の接合金具１の上部に形成される凹部２の上部には雌ネジ２aが内設され、凹部２の底面には柔軟材からなるパッキング２bが着座され、凹部２の中央から下端に向けて通水室３が形成され、通水室３の高さ方向中間には僅かに小径の段差部３aが設けられ、段差部３aには図１（ｂ）の仮想線で示すように、制水駒４の通水盤４aが圧入内嵌され、確実な固定状態の通水盤４aに制水盤４bが重畳されて通水盤４aの中心に螺設したネジ孔４aaに制水盤４bのネジ挿通孔４baから差し込まれた六角穴付きの小ネジ４cを螺合し、通水盤４aの中心に対して点対称状に所要数（片側６個）開口された丸孔からなる通水孔４abを、その上面に重畳された蝶羽根４bbからなる制水盤４bでその露出個数を選択することで吐水量が調節される。
そして、接合金具１の下端部の小径部には雄ネジ１aが螺設され、雄ネジ１aには外径が接合金具１の外径と同径で、内部に網目状の泡沫発生部５aが内設された泡沫発生体５が、パッキング５bを介してその上端部に内設された雌ネジ５cを螺合することにより水密的に接合されて成る。
その際に、すなわち接合金具１の下端部の雄ネジ１aに泡沫発生体５の雌ネジ５cを螺合する際に節水弁Ａには接合金具１の周部下端と泡沫発生体５の上端間に所要の間隙６が形成される。
節水弁Ａは、図２に示すように、横形自在水栓１１の吐水口部１０の口端７に螺設された雄ネジ（図外）に接合金具１の雌ネジ２aを螺合して取り付け使用される。
その場合に、節水弁Ａを逆に旋回して取り外し持ち去る、すなわち盗難のおそれがある。そこで盗難防止用節水弁Ｂを提供するものである。
【００１０】
盗難防止用節水弁Ｂを説明すると、図２に示すように、水栓の口端７に螺設された雄ネジ（図外）に接合金具１の雌ネジ２aを螺合して接合金具１を口端７に取り付け、その状態で円筒状の筒本体８aの内周で、丈方向でその上端から接合金具１の周部をすっぽり収納できる位置に、前記間隙６より狭い肉厚で、内径が接合金具１の下端部の雄ネジ１aの外径より僅かに大径の座盤８bを周設して成る盗難防止筒８が接合金具１の外周に外嵌され、その下端から泡沫発生体５が挿入され、盗難防止筒８の下端から鍵９の円筒部９aが外嵌され、押し込みながら鍵９を盗難防止筒８の周方向へ回動すると、鍵９の内部底面に均等分割点で立設した３個の突起９bが泡沫発生体５の底面に前記均等分割点と同位相で凹設した回動手段としての３個の凹溝５dに嵌着し、鍵９を回動することによって泡沫発生体５の上端部の雌ネジ５cが接合金具１の雄ネジ１aに螺着され、前記座盤８bが接合金具１の周部下端と泡沫発生体５の上端間に形成される間隙６に僅かの遊びをもって遊嵌される。泡沫発生体５を締め付け後、鍵９は然るべき方法で適宜に保管される。
以上の如くして図３に示すように、吐水口を下側に向けた吐水口部１０を水平方向に首振り自在とした横形自在水栓１１の口端７に螺着された盗難防止用節水弁Ｂは、接合金具１と泡沫発生体５が全体すっぽりと盗難防止筒８に収納されるから、口端７から接合金具１を取り外そうとしても盗難防止筒８のみが空転するのみで、口端７から盗難防止用節水弁Ｂは取り外しできない。取り外しには鍵９が必要であり、これ以外の手段で取り外しするには手間がかかり、不審な挙動が伴うことで盗難が防止されることとなる。
このようにして成る盗難防止用節水弁Ｂは、使用される個所での吐水量に応じて制水駒４でその節水が図られるとともに、泡沫発生体５で水はねが防止され、取付け状態では盗難防止が図られるので安心である。
なお、節水弁Ａはその取付け場所によって盗難の心配がない状況下では、それ用として接合金具１の周部下端と泡沫発生体５の上端間に間隙６のないものも提供される。また、鍵９はその下方に２面幅としてのスパナ掛け９cが設けられるほか、手回しに都合の良いように円筒部９aの外周にローレット加工（図外）が施されることもある。
【産業上の利用可能性】
【００１１】
本発明は、製造上では接合金具の組立時の制水駒の紛失もなく、能率向上とともに、構造簡易化による省力化で市場価格の低廉化に対応でき、使用上では衛生設備や厨房などの水栓に広く使用されて節水効果を達成するから、医療機関や学校給食、飲食業界等広く水を扱う業界に貢献できる上、盗難防止が図られて安心して使用できるなどで、その需要は益々増大するものである。
【符号の説明】
【００１２】
１：接合金具
１a：雄ネジ
２：凹部
２a：雌ネジ
２b：パッキング
３：通水室
３a：段差部
４：制水駒
４a：通水盤
４aa：ネジ孔
４ab：通水孔
４b:制水盤
４ba：ネジ挿通孔
４bb：蝶羽根
５：泡沫発生体
５a：泡沫発生部
５b：パッキング
５c：雌ネジ
５d：凹溝
６：間隙
７：口端
８：盗難防止筒
８a：筒本体
８b：座盤
９：鍵
９a：円筒部
９b：突起
９c：スパナ掛け
１０：吐水口部
１１：横形自在水栓
Ａ：節水弁
Ｂ：盗難防止用節水弁
【図１】
2011174234.tif 000003
【図２】
2011174234.tif 000004
【図３】
2011174234.tif 000005
【手続補正書】
【提出日】平成22年7月14日(2010.7.14)
【手続補正１】
【補正対象書類名】特許請求の範囲
【補正対象項目名】全文
【補正方法】変更
【補正の内容】
【特許請求の範囲】
【請求項１】
上端が水栓の口端に接合される接合金具に形成された通水室に制水駒が内蔵され、該制水駒が、その中心を通る直径上に対称に蝶羽根を設けて成る制水盤と、該制水盤に重畳されて前記蝶羽根間に露出される盤面内でその中心に点対称状に所要形状で所要数の通水孔を開口して成る通水盤とが、その中心で流量調節自在に螺合されて成り、前記接合金具の下端に泡沫発生体が螺設され、該泡沫発生体の上端と該接合金具の周部下端とで所要の間隙が形成されて成る節水弁において、
前記制水駒の通水盤が通水室に形成される段差部に圧入内嵌され、
前記泡沫発生体が、その下端に回動手段が配設されて成る節水弁。
【請求項２】
節水弁と、該節水弁を全体すっぽりと収納できる盗難防止筒とから成る盗難防止用節水弁において、
前記節水弁が請求項１記載の節水弁から成り、
盗難防止筒が円筒状の筒本体の丈方向の内周に、その上端から前記接合金具の周部をすっぽり収納できる位置に、前記間隙より狭い肉厚で、内径が該接合金具の下端部の雄ネジの外径より僅かに大径の座盤が周設されて成り、
前記節水弁の間隙に前記座盤を遊嵌して該盗難防止筒に節水弁を収蔵して成る盗難防止用節水弁。
【手続補正２】
【補正対象書類名】明細書
【補正対象項目名】０００５
【補正方法】変更
【補正の内容】
【０００５】
本発明の請求項１に記載した節水弁は、上端が水栓の口端に接合される接合金具に形成された通水室に制水駒が内蔵され、該制水駒が、その中心を通る直径上に対称に蝶羽根を設けて成る制水盤と、該制水盤に重畳されて前記蝶羽根間に露出される盤面内でその中心に点対称状に所要形状で所要数の通水孔を開口して成る通水盤とが、その中心で流量調節自在に螺合されて成り、前記接合金具の下端に泡沫発生体が螺設され、該泡沫発生体の上端と該接合金具の周部下端とで所要の間隙が形成されて成る節水弁において、
前記制水駒の通水盤が通水室に形成される段差部に圧入内嵌され、
前記泡沫発生体が、その下端に回動手段が配設されて成る。
本発明の請求項２に記載した盗難防止用節水弁は、節水弁と、該節水弁を全体すっぽりと収納できる盗難防止筒とから成る盗難防止用節水弁において、
前記節水弁が請求項１記載の節水弁から成り、
盗難防止筒が円筒状の筒本体の丈方向の内周に、その上端から前記接合金具の周部をすっぽり収納できる位置に、前記間隙より狭い肉厚で、内径が該接合金具の下端部の雄ネジの外径より僅かに大径の座盤が周設されて成り、
前記節水弁の間隙に前記座盤を遊嵌して該盗難防止筒に節水弁を収蔵して成る。
【手続補正書】
【提出日】平成22年10月13日(2010.10.13)
【手続補正１】
【補正対象書類名】特許請求の範囲
【補正対象項目名】全文
【補正方法】変更
【補正の内容】
【特許請求の範囲】
【請求項１】
節水弁と、該節水弁を全体すっぽりと収納できる盗難防止筒とから成る盗難防止用節水弁において、
前記節水弁が、上端が水栓の口端に接合される接合金具に形成された通水室に制水駒が内蔵され、該制水駒が、その中心を通る直径上に対称に蝶羽根を設けて成る制水盤と、該制水盤に重畳されて前記蝶羽根間に露出される盤面内でその中心に点対称状に所要形状で所要数の通水孔を開口して成る通水盤とが、その中心で流量調節自在に螺合されて成り、前記接合金具の下端に泡沫発生体が螺設され、該泡沫発生体の上端と該接合金具の周部下端とで所要の間隙が形成され、前記制水駒の通水盤が通水室に形成される段差部に圧入内嵌され、前記泡沫発生体がその下端に回動手段が配設されて成り、
盗難防止筒が円筒状の筒本体の丈方向の内周に、その上端から前記接合金具の周部をすっぽり収納できる位置に、前記間隙より狭い肉厚で、内径が該接合金具の下端部の雄ネジの外径より僅かに大径の座盤が周設されて成り、
前記節水弁の間隙に前記座盤を遊嵌して該盗難防止筒に節水弁を収蔵して成る盗難防止用節水弁。
【手続補正２】
【補正対象書類名】明細書
【補正対象項目名】全文
【補正方法】変更
【補正の内容】
【発明の詳細な説明】
【技術分野】
【０００１】
本発明は、水栓の口端に接合されて吐水量を調節する流量制御弁の分野に属する。
【背景技術】
【０００２】
本願出願人は、水道水の流量制御技術に関する先行技術として特許第４１００６９３号（特許文献１）に流量制御弁を提案しているが、該流量制御弁では流量制御を図る制水駒がブッシュに内嵌され、該ブッシュを内設する接合金具を、その上端において水栓の口端に接合するものであり、ブッシュと接合金具との機能分析に基づき、その構造を簡易化して製造上の省力化を図るに至ったものである。
さらに、水栓の口端に接合された状態では、接合金具の脱却の点で無防備であり、盗難の危険にさらされている状況である。
【先行技術文献】
【特許文献】
【０００３】
【特許文献１】特許第４１００６９３号
【発明の概要】
【発明が解決しようとする課題】
【０００４】
本発明は、特許第４１００６９３号の流量制御弁の弁構造を簡易化して製造上の省力化を達成するとともに、使用時の盗難防止が図られる節水弁を提供する。
【課題を解決するための手段】
【０００５】
本発明の請求項１に記載した盗難防止用節水弁は、
節水弁と、該節水弁を全体すっぽりと収納できる盗難防止筒とから成る盗難防止用節水弁において、
前記節水弁が、上端が水栓の口端に接合される接合金具に形成された通水室に制水駒が内蔵され、該制水駒が、その中心を通る直径上に対称に蝶羽根を設けて成る制水盤と、該制水盤に重畳されて前記蝶羽根間に露出される盤面内でその中心に点対称状に所要形状で所要数の通水孔を開口して成る通水盤とが、その中心で流量調節自在に螺合されて成り、前記接合金具の下端に泡沫発生体が螺設され、該泡沫発生体の上端と該接合金具の周部下端とで所要の間隙が形成され、前記制水駒の通水盤が通水室に形成される段差部に圧入内嵌され、前記泡沫発生体がその下端に回動手段が配設されて成り、
盗難防止筒が円筒状の筒本体の丈方向の内周に、その上端から前記接合金具の周部をすっぽり収納できる位置に、前記間隙より狭い肉厚で、内径が該接合金具の下端部の雄ネジの外径より僅かに大径の座盤が周設されて成り、
前記節水弁の間隙に前記座盤を遊嵌して該盗難防止筒に節水弁を収蔵して成る。
【発明の効果】
【０００６】
以上のように本発明によれば、本発明の構成要件である節水弁において、制水駒を内蔵するブッシュが接合金具となって直接水栓の口端に接合されるから、従来のブッシュが省かれて製造コストの大幅な削減が達成されるものであり、その上制水駒の通水盤が通水室に単に内嵌されるのではなく、圧入内嵌されるものであるから、接合金具の組立完了時の移動で制水駒が通水室から脱落することがなく、保守管理がし易くなり、使用時では、盗難防止用節水弁の盗難防止筒が空転するのみで、接合金具を水栓の口端から脱却できないので、節水弁の盗難防止が図られる。
【図面の簡単な説明】
【０００７】
【図１】本発明における節水弁Ａの説明図で、（ａ）はその分解状態の斜視図、（ｂ）は（ａ）の接合金具１のＡ−Ａ矢視断面図。
【図２】本発明の盗難防止用節水弁Ｂの説明図で、（ａ）はその盗難防止筒８を縦断した状態の正面図、（ｂ）は（ａ）の底面図、（ｃ）は盗難防止用節水弁Ｂの組み立てに用いる鍵９の要部を破断した説明図。
【図３】本発明の盗難防止用節水弁Ｂの使用状態の説明図。
【発明を実施するための形態】
【０００８】
本発明の節水弁における接合金具や盗難防止用節水弁における盗難防止筒は、金属製は勿論のこと、PC材による射出成形品としても提供され、接合金具をPC材による射出成形品とする場合には、通水盤をも一体として成形するも良しとされ、さらに、制水駒の制水盤や通水盤も金属打抜き成形のほか、PC材による射出成形品としても提供され得る。
なお、水栓の口端に接合された接合金具への泡沫発生体の接合時には、泡沫発生体の底面に設けられる凹溝は手探り状態で確認されるものであるから、盗難防止筒の外周に外嵌する円筒部を鍵に設けた方が、鍵に設けた突起を前記凹溝に嵌入し易く接合操作が楽になる。
【実施例】
【０００９】
本発明における節水弁Ａを一実施例により説明すると、図１に示すように、円筒状の接合金具１の上部に形成される凹部２の上部には雌ネジ２aが内設され、凹部２の底面には柔軟材からなるパッキング２bが着座され、凹部２の中央から下端に向けて通水室３が形成され、通水室３の高さ方向中間には僅かに小径の段差部３aが設けられ、段差部３aには図１（ｂ）の仮想線で示すように、制水駒４の通水盤４aが圧入内嵌され、確実な固定状態の通水盤４aに制水盤４bが重畳されて通水盤４aの中心に螺設したネジ孔４aaに制水盤４bのネジ挿通孔４baから差し込まれた六角穴付きの小ネジ４cを螺合し、通水盤４aの中心に対して点対称状に所要数（片側６個）開口された丸孔からなる通水孔４abを、その上面に重畳された蝶羽根４bbからなる制水盤４bでその露出個数を選択することで吐水量が調節される。
そして、接合金具１の下端部の小径部には雄ネジ１aが螺設され、雄ネジ１aには外径が接合金具１の外径と同径で、内部に網目状の泡沫発生部５aが内設された泡沫発生体５が、パッキング５bを介してその上端部に内設された雌ネジ５cを螺合することにより水密的に接合されて成る。
その際に、すなわち接合金具１の下端部の雄ネジ１aに泡沫発生体５の雌ネジ５cを螺合する際に節水弁Ａには接合金具１の周部下端と泡沫発生体５の上端間に所要の間隙６が形成される。
節水弁Ａは、図２に示すように、横形自在水栓１１の吐水口部１０の口端７に螺設された雄ネジ（図外）に接合金具１の雌ネジ２aを螺合して取り付け使用される。
その場合に、節水弁Ａを逆に旋回して取り外し持ち去る、すなわち盗難のおそれがある。そこで盗難防止用節水弁Ｂを提供するものである。
【００１０】
本発明の盗難防止用節水弁Ｂを説明すると、図２に示すように、水栓の口端７に螺設された雄ネジ（図外）に接合金具１の雌ネジ２aを螺合して接合金具１を口端７に取り付け、その状態で円筒状の筒本体８aの内周で、丈方向でその上端から接合金具１の周部をすっぽり収納できる位置に、前記間隙６より狭い肉厚で、内径が接合金具１の下端部の雄ネジ１aの外径より僅かに大径の座盤８bを周設して成る盗難防止筒８が接合金具１の外周に外嵌され、その下端から泡沫発生体５が挿入され、盗難防止筒８の下端から鍵９の円筒部９aが外嵌され、押し込みながら鍵９を盗難防止筒８の周方向へ回動すると、鍵９の内部底面に均等分割点で立設した３個の突起９bが泡沫発生体５の底面に前記均等分割点と同位相で凹設した回動手段としての３個の凹溝５dに嵌着し、鍵９を回動することによって泡沫発生体５の上端部の雌ネジ５cが接合金具１の雄ネジ１aに螺着され、前記座盤８bが接合金具１の周部下端と泡沫発生体５の上端間に形成される間隙６に僅かの遊びをもって遊嵌される。泡沫発生体５を締め付け後、鍵９は然るべき方法で適宜に保管される。
以上の如くして図３に示すように、吐水口を下側に向けた吐水口部１０を水平方向に首振り自在とした横形自在水栓１１の口端７に螺着された盗難防止用節水弁Ｂは、接合金具１と泡沫発生体５が全体すっぽりと盗難防止筒８に収納されるから、口端７から接合金具１を取り外そうとしても盗難防止筒８のみが空転するのみで、口端７から盗難防止用節水弁Ｂは取り外しできない。取り外しには鍵９が必要であり、これ以外の手段で取り外しするには手間がかかり、不審な挙動が伴うことで盗難が防止されることとなる。
このようにして成る盗難防止用節水弁Ｂは、使用される個所での吐水量に応じて制水駒４でその節水が図られるとともに、泡沫発生体５で水はねが防止され、取付け状態では盗難防止が図られるので安心である。
なお、節水弁Ａはその取付け場所によって盗難の心配がない状況下では、それ用として接合金具１の周部下端と泡沫発生体５の上端間に間隙６のないものも提供される。また、鍵９はその下方に２面幅としてのスパナ掛け９cが設けられるほか、手回しに都合の良いように円筒部９aの外周にローレット加工（図外）が施されることもある。
【産業上の利用可能性】
【００１１】
本発明は、製造上では接合金具の組立時の制水駒の紛失もなく、能率向上とともに、構造簡易化による省力化で市場価格の低廉化に対応でき、使用上では衛生設備や厨房などの水栓に広く使用されて節水効果を達成するから、医療機関や学校給食、飲食業界等広く水を扱う業界に貢献できる上、盗難防止が図られて安心して使用できるなどで、その需要は益々増大するものである。
【符号の説明】
【００１２】
１：接合金具
１a：雄ネジ
２：凹部
２a：雌ネジ
２b：パッキング
３：通水室
３a：段差部
４：制水駒
４a：通水盤
４aa：ネジ孔
４ab：通水孔
４b:制水盤
４ba：ネジ挿通孔
４bb：蝶羽根
５：泡沫発生体
５a：泡沫発生部
５b：パッキング
５c：雌ネジ
５d：凹溝
６：間隙
７：口端
８：盗難防止筒
８a：筒本体
８b：座盤
９：鍵
９a：円筒部
９b：突起
９c：スパナ掛け
１０：吐水口部
１１：横形自在水栓
Ａ：節水弁
Ｂ：盗難防止用節水弁